(57)【要約】【課題】本発明は、押圧操作しやすく、滑りを抑制し押圧力を確実に伝えることが可能な差込側コネクタを提供することを目的とする。【解決手段】ハウジング本体２００が相手側コネクタ２に向かった嵌合方向に押圧されることにより、バネ部材３００の弾性変形を伴いながら相手側コネクタ２に嵌合されるとともにバネ部材３００の弾性回復により相手側コネクタ２に対してバネ部材３００が係止されて嵌合離脱方向の変位が固定される差込側コネクタ１である。押圧操作側端部２００Ｒにおける嵌合方向に押圧操作される押圧部６００は、嵌合側端部２００Ｆに近づくにつれて押圧部６００が広がるように形成される斜面６１１を備えており、斜面６１１上に突起部６１１ａが形成されている。【選択図】図１
2008071665.tif 000002
【特許請求の範囲】
【請求項１】
ハウジング本体と、当該ハウジング本体に取り付けられたバネ部材と、を備え、
前記ハウジング本体が相手側コネクタに向かった嵌合方向に押圧されることにより、前記バネ部材の弾性変形を伴いながら当該相手側コネクタに嵌合されるとともに当該バネ部材の弾性回復により当該相手側コネクタに対して当該バネ部材が係止されて嵌合離脱方向の変位が固定される差込側コネクタであって、
前記ハウジング本体は、前記相手側コネクタに対向する嵌合側端部と逆側の端部である押圧操作側端部において、前記嵌合方向に押圧操作される押圧部を有し、
前記押圧部は、前記嵌合側端部に近づくにつれて当該押圧部が広がるように形成される斜面を備えており、当該斜面上に突起部を有することを特徴とする差込側コネクタ。
【請求項２】
前記バネ部材は、前記ハウジング本体を両側方から挟み込むように設置されており、嵌合状態への移行時に前記嵌合方向に対して垂直な方向に広がるように弾性変形するとともに嵌合状態に至ると弾性回復により前記相手側コネクタに対して係止され、
前記押圧部は、前記嵌合方向から見て前記バネ部材の少なくとも一部を覆うように形成されているとともに当該バネ部材に対向する対向部は前記弾性変形の方向と平行な平面となるように形成されていることを特徴とする請求項１に記載の差込側コネクタ。
【請求項３】
前記押圧部は、前記押圧部側端部から延出するケーブルを挟んで一対で設けられる押圧部分からなり、一対の当該押圧部分はケーブルを挟んで対称に形成されていることを特徴とする請求項１又は請求項２に記載の差込側コネクタ。
【請求項４】
一対の前記押圧部分の前記ケーブルと反対側の縁部はそれぞれ相互に近接するように傾斜していることを特徴とする請求項３に記載の差込側コネクタ。
【発明の詳細な説明】
【技術分野】
【０００１】
本発明は、押圧されることによりバネ部材の弾性変形を伴いながら相手側コネクタに嵌合される差込側コネクタに関する。
【背景技術】
【０００２】
特許文献１には、互いに嵌合される一対のコネクタの形状が開示されている。この一対のコネクタのうち、作業者により押圧操作される一方のコネクタのハウジング２０（特許文献１における図１参照）は、嵌合方向に押圧できるとともに押圧の際の滑り止めとなりうる部分形状をコネクタハウジングの周囲に備えている。例えば、コネクタハウジングの上面においてロックアーム４０部分に形成された当て壁５１、または、大フード部２２の後方側端面であり嵌合方向（特許文献１の図１における矢印で示す方向）に対して垂直に形成された奥壁２２Ａ（特許文献１における図３参照）、などである。作業者はコネクタハウジングを指先で挟みこむようにして保持し、これらの部分を滑り止め等としながら嵌合方向に押圧操作を行う。
【０００３】
【特許文献１】特開２００１−１１０５２３号公報
【発明の開示】
【発明が解決しようとする課題】
【０００４】
しかしながら、特許文献１に記載されたコネクタのハウジング２０における当て壁５１部分は、「ロック解除操作（ロックアーム４０を揺動させる操作）」の際における指の位置決めや滑り止めのために形成されたものである。そのため、指との接触面積が小さいものであり、嵌合方向への押圧操作を行う際の滑り止めとしては十分に機能しない可能性もある。
また、奥壁２２Ａは、嵌合方向と垂直面を形成しており、指と面との摩擦に頼らずにコネクタを嵌合方向に押圧することは可能である。しかし、押圧時の操作性等を向上させるために押圧面積を大きくしたい場合は、ハウジングを嵌合方向と垂直方向に大きくする必要があり、コネクタが大型化してしまうという問題がある。また、指とコネクタとの間に隙間が生じやすく、押圧操作時において指先がコネクタにフィットしにくいため操作性が悪くなる虞もある。
【０００５】
本発明は、上記実情に鑑みることにより、押圧操作しやすく、滑りを抑制し押圧力を確実に伝えることが可能な差込側コネクタを提供することを目的とする。
【課題を解決するための手段及び効果】
【０００６】
本発明は、相手側コネクタに嵌合し、バネ部材の係止により固定される差込側コネクタに関する。
そして、本発明に係る差込側コネクタは、上記目的を達成するために以下のようないくつかの特徴を有している。すなわち、本発明の差込側コネクタは、以下の特徴を単独で、若しくは、適宜組み合わせて備えている。
【０００７】
上記目的を達成するための本発明に係る差込側コネクタにおける第１の特徴は、ハウジング本体と、当該ハウジング本体に取り付けられたバネ部材と、を備え、前記ハウジング本体が相手側コネクタに向かった嵌合方向に押圧されることにより、前記バネ部材の弾性変形を伴いながら当該相手側コネクタに嵌合されるとともに当該バネ部材の弾性回復により当該相手側コネクタに対して当該バネ部材が係止されて嵌合離脱方向の変位が固定される差込側コネクタであって、前記ハウジング本体は、前記相手側コネクタに対向する嵌合側端部と逆側の端部である押圧操作側端部において、前記嵌合方向に押圧操作される押圧部を有し、前記押圧部は、前記嵌合側端部に近づくにつれて当該押圧部が広がるように形成される斜面を備えており、当該斜面上に突起部を有することである。
【０００８】
この構成によると、押圧部に形成された斜面を押圧して差込側コネクタを相手側コネクタに嵌合させることができる。押圧部が斜面であるため、押圧する指と押圧部との接触面積を大きくすることができるとともに、指にフィットしやすく操作性がよい。
また、押圧する際、突起部に指が引っかかるため滑りにくく、押圧する力を差込側コネクタに確実に伝えることができる。
【０００９】
また、本発明に係る差込側コネクタにおける第２の特徴は、前記バネ部材は、前記ハウジング本体を両側方から挟み込むように設置されており、嵌合状態への移行時に前記嵌合方向に対して垂直な方向に広がるように弾性変形するとともに嵌合状態に至ると弾性回復により前記相手側コネクタに対して係止され、前記押圧部は、前記嵌合方向から見て前記バネ部材の少なくとも一部を覆うように形成されているとともに当該バネ部材に対向する対向部は前記弾性変形の方向と平行な平面となるように形成されていることである。
【００１０】
この構成によると、バネ部材が嵌合方向と垂直に変位して係止・係止解除を行う構造であるため、係止するためのバネ部材の変形量をより小さくでき、変形に要する力をより小さくすることができる。また、押圧部がバネ部材の弾性変形を拘束しない形状であるため、バネ部材の変形に要する力が少なくてすむ。また、押圧時に指がバネ部材に触れにくい構造であり、指でバネ部材の変形を拘束しにくい。したがって、嵌合の際にバネ部材に作用させるべき力が小さくなるため、より小さい押圧力で嵌合することが可能である。
【００１１】
また、本発明に係る差込側コネクタにおける第３の特徴は、前記押圧部は、前記押圧部側端部から延出するケーブルを挟んで一対で設けられる押圧部分からなり、一対の当該押圧部分はケーブルを挟んで対称に形成されていることである。
【００１２】
この構成によると、差込側コネクタに対して、ケーブルを挟んで対称な押圧力を付与しやすくなるため、押圧力の偏りをなくし、より小さい力で嵌合可能となる。
【００１３】
また、本発明に係る差込側コネクタにおける第４の特徴は、一対の前記押圧部分の前記ケーブルと反対側の縁部はそれぞれ相互に近接するように傾斜していることである。
【００１４】
この構成によると、押圧部分の縁部が近接する側から親指と人差し指で押圧部を挟み込むように押圧した場合、各指先が押圧部にフィットしやすく、押圧操作性を向上させることが可能である。
【発明を実施するための最良の形態】
【００１５】
以下、本発明を実施するための最良の形態について図面を参照しつつ説明する。本実施形態においては、コネクタの一例として、自動車等の車両に用いられる電気コネクタを例示する。
【００１６】
図１は、本発明の一実施の形態に係る差込側コネクタ１を含む一対の電気コネクタ１００の一例を示す模式的斜視図である。尚、以下、図１中の矢印Ｘの方向をＸ方向、矢印Ｘの方向と逆向きの方向を−Ｘ方向として説明する。矢印Ｙの方向、Ｚの方向についても同様とする。
【００１７】
図１に示すように、電気コネクタ１００は、差込側コネクタ１のメスハウジング２００（ハウジング本体）が相手側コネクタ２のオスハウジング４００に嵌合することにより電気的に接続されるコネクタである。差込側コネクタ１は、メスハウジング２００に取り付けられた掛け止め金具３００（バネ部材）を備えており、当該掛け止め金具３００の作用により相手側コネクタ２に係止される。
【００１８】
メスハウジング２００の両側面には、メスハウジング２００とオスハウジング４００とが嵌合する方向（Ｘ方向）に垂直な方向（Ｚ方向）に平行な案内溝２１０が設けられている。このメスハウジング２００の案内溝２１０に沿って掛け止め金具３００が−Ｚ方向に向かって圧挿される。
【００１９】
図２に示すように、メスハウジング２００の内部には、一対の第１接続端子２０１ａ，２０１ｂが設けられている。同じく、後述するオスハウジング４００の内部には、一対の第２接続端子４０１ａ，４０１ｂ（図１１参照）が設けられている。当該オスハウジング４００の内部に設けられた第２接続端子４０１ａ，４０１ｂには、電気的配線が接続されている。
【００２０】
オスハウジング４００にメスハウジング２００が嵌挿されて嵌合することにより、第１接続端子２０１ａおよび第２接続端子４０１ａと、第１接続端子２０１ｂおよび第２接続端子４０１ｂとがそれぞれ接合し、電気的導通が図られる。
【００２１】
次に、掛け止め金具３００を備えたメスハウジング２００およびオスハウジング４００の形状について詳細に説明する。
【００２２】
図２〜図７は、掛け止め金具３００を備えた差込側コネクタ１の形状を説明するための模式図である。図２は、図１に示す差込側コネクタ１の正面図であり、図３は、図１に示す差込側コネクタ１の背面図であり、図４は、図１に示す差込側コネクタ１の左側面図であり、図５は、図１に示す差込側コネクタ１の平面図であり、図６は、図１に示す差込側コネクタ１の底面図である。また、図７は、図１に示す差込側コネクタ１の前方から視た斜視図である。尚、本実施形態に係る差込側コネクタ１の右側面図は図３に示す左側面図と対称である。
【００２３】
図２〜図７に示すメスハウジング２００は、後述するオスハウジング４００（図１１〜図１４参照）の略四角柱筒形状を外包する略四角柱筒形状を有する。
【００２４】
図２に示すように、メスハウジング２００の内部には、第１接続端子２０１ａ，２０１ｂが設けられている。本実施の形態に係る電気コネクタ１００の極数は、２極である。そのため、第１接続端子２０１ａ，２０１ｂが２つ並んで設けられている。
【００２５】
図２及び図７に示すように、メスハウジング２００の内部には、長方形リブ２０２とＴ字リブ２０３とが形成されている。これらの長方形リブ２０２とＴ字リブ２０３とには、それぞれテーパ形状が形成されている。このテーパ形状は、第１接続端子２０１ａ，２０１ｂおよび後述するオスハウジング４００の第２接続端子４０１ａ，４０１ｂとの嵌挿をスムーズにさせるとともに、嵌合時に長方形リブ２０２とＴ字リブ２０３と、後述するオスハウジング４００の長方形溝４０２およびＴ字溝４０３との密着度を向上させるために設けられる。
【００２６】
さらに、これらの長方形リブ２０２とＴ字リブ２０３との形状は、オスハウジング４００とメスハウジング２００との逆嵌合を防止するために設けられている。すなわち、長方形リブ２０２とオスハウジング４００のＴ字溝４０３（図１１参照）とは嵌合せず、Ｔ字リブ２０３と長方形溝４０２（図１１参照）とは嵌合しないからである。また、これらの長方形リブ２０２とＴ字リブ２０３との形状は、コネクタを嵌合させた後、相手側コネクタ２に対して差込側コネクタ１がＸ方向を軸として回転することを防止する効果も有する。
【００２７】
また、図２に示すように、メスハウジング２００の４隅には、スリットリブ２０５ａ，２０５ｂ，２０５ｃ，２０５ｄが設けられる。これらのスリットリブ２０５ａ，２０５ｂ，２０５ｃ，２０５ｄは、メスハウジング２００と後述するオスハウジング４００との嵌合完了時にオスハウジング４００のスリット４０５ａ，４０５ｂ，４０５ｃ，４０５ｄと当接するように設けられている。
【００２８】
さらに、メスハウジング２００の各面のうち一の面には、スリット２５０ａ，２５０ｂが設けられ、他の一の面には、スリット２５０ｃ，２５０ｄが設けられ、他の一の面には、スリット２５０ｅ，２５０ｆが設けられ、他の一の面には、スリット２５０ｇ，２５０ｈ，２５０ｉが設けられる。
【００２９】
これらのスリット２５０ａ〜２５０ｉは、メスハウジング２００とオスハウジング４００との嵌合完了時にオスハウジング４００のリブ４５０ａ〜４５０ｉと当接するように設けられている。
【００３０】
また、これらのメスハウジング２００におけるリブ２０５ａ，２０５ｂ，２０５ｃ，２０５ｄおよびオスハウジング４００の対応するスリット２５０ａ〜２５０ｉには、中心から外側に向けて幅が狭くなるテーパ形状が設けられる。
【００３１】
また、図４に示すように、メスハウジング２００の側面には、Ｚ方向と平行な方向に案内溝２１０が形成されている。この案内溝２１０は、立ち壁２２０，２２１およびハウジング内に貫通する開口部２２２を含む。また、開口部２２２は案内溝２１０のほぼ中央部に設けられる。
【００３２】
続いて、図４、図５及び図６に示すように、Ｘ方向におけるメスハウジング２００の端部である押圧操作側端部２００Ｒからは、第１接続端子２０１ａ，２０１ｂ（図２（ａ）参照）に接続されたケーブル５００が引き出されている。押圧操作側端部２００Ｒは、Ｘ方向においてオスハウジング４００に対向する嵌合側端部２００Ｆと逆側に位置する。そして、押圧操作側端部２００Ｒにおいて、嵌合方向（Ｘ方向）に押圧操作される押圧部６００が形成されている。
【００３３】
押圧部６００は、嵌合方向から見て後述する掛け止め金具３００（バネ部材）の一部を覆うように形成されている（図３参照）。そして押圧部６００における掛け止め金具３００に対向する対向部６０１はＹ方向と平行な平面となるように形成されている（図４及び図５参照）。押圧部６００は、ケーブル５００を挟んで一対で設けられる押圧部分６１０・６１０からなり、一対の押圧部分６１０・６１０はケーブル５００を挟んで対称に形成されている。また、押圧部分６１０は、嵌合側端部２００Ｆに近づくにつれて押圧部分６１０が広がるように形成される斜面６１１を備えている（図３、図５、図６参照）。
【００３４】
また、図３及び図４に示すように、押圧部分６１０には、当該斜面６１１側から嵌合方向に向かって形成され、対向部６０１側に位置する側面部に貫通する貫通孔６０２を有している。この貫通孔６０２により押圧操作時における滑り止め機能が発揮されるとともに、メスハウジング２００の軽量化及び成形に要する材料の削減が可能である。
【００３５】
図８は、図３における一点鎖線Ａ１で示すメスハウジング２００の断面を模式的に示す断面図であり、図９は、一点鎖線Ａ２で示すメスハウジング２００の断面を模式的に示す断面図である。図８及び図９に示すように、斜面６１１は、ケーブル５００から離れた方向の端部において反った形状を有しており、当該端部において突起部６１１ａが形成されている。突起部６１１ａは、−Ｘ方向に向かって突出するように形成されている。
【００３６】
また、押圧部分６１０におけるケーブル５００と反対側の縁部は、図３において二本の一点鎖線Ｌ１・Ｌ１で示すように、Ｚ方向に向かうほど、それぞれ相互に近接するように傾斜している。
【００３７】
また、図１に示すようにメスハウジング２００は、−Ｚ方向に向かってメスハウジング２００が広がるように形成される斜面２３０を両側面に備えている。掛け止め金具３００は、斜面２３０を両側方から挟み込むように設置されている
【００３８】
掛け止め金具３００は、バネ性を有する金属により構成されている。例えば、掛け止め金具３００は、ばね鋼またはステンレス鋼などの金属材料により形成される。また、掛け止め金具３００の使用状況に応じて、コーティング処理等が施されていてもよい。例えば、掛け止め金具３００の耐候性または耐食性を向上させる場合には、亜鉛めっき、塗装またはクロメート処理等が施される。
【００３９】
図７に示すように、掛け止め金具３００は、断面が略円形の一本の部材を屈曲させることにより形成される。掛け止め金具３００には、上記の開口部２２２に対してメスハウジング２００の中心方向に弾性を有するように湾曲して形成された掛け止め部３１５（図２参照）が設けられる。
【００４０】
図４及び図１０を用いて掛け止め金具３００の動きについて説明する。
図１０は、図４におけるＡ３−Ａ３断面における掛け止め金具３００の動きを模式的に示す図である。
【００４１】
図４に示すように、掛け止め金具３００は、メスハウジング２００の案内溝２１０に沿ってＺ方向と平行にスライド可能に設けられている。掛け止め金具３００の押圧操作部３０１が−Ｚ方向に向かって押圧され、掛け止め金具３００が−Ｚ方向にスライドした場合、案内溝２１０の開口部２２２からメスハウジング２００の中央部に突出して設けられた掛け止め部３１５が案内溝２１０に沿って移動する。
【００４２】
このとき、図１０に示すように、掛け止め金具３００におけるメスハウジング２００の側方に位置する当接部３１０（図４参照）が、メスハウジング２００の側面に形成された、−Ｚ方向に向かって上り坂となる斜面２３０に乗り上げるように移動する。これより、掛け止め金具３００はＹ方向において開くように変形するとともに、メスハウジング２００の両側面に位置する掛け止め部３１５も、−Ｚ方向に変位するとともに、Ｙ方向と平行に互いに離れるように変位して、開口部２２２から突出しなくなる。即ち、係止状態から非係止状態に移行することになる。
【００４３】
次に、相手側コネクタ２の形状について説明する。図１１〜図１４は、相手側コネクタ２の形状を説明するための模式図である。図１１は相手側コネクタ２の正面図を示し、図１２は相手側コネクタ２の左側面図を示し、図１３は相手側コネクタ２の底面図を示す。また、図１４は相手側コネクタ２の斜視図を示す。
【００４４】
オスハウジング４００は、上述したメスハウジング２００の略四角柱筒形状により内包される略四角柱筒形状を有する。
【００４５】
図１１に示すように、オスハウジング４００の内部には、第２接続端子４０１ａ，４０１ｂが設けられている。図２の第１の接続端子と同様に、本実施の形態に係る電気コネクタ１００の極数は、２極である。そのため、第２接続端子４０１ａ，４０１ｂが、２つ並んで設けられている。オスハウジング４００とメスハウジング２００との嵌合時には、第２接続端子４０１ａが、図２の第１接続端子２０１ａと接続され、第２接続端子４０１ｂが、図２の第１接続端子２０１ｂと接続される。
【００４６】
図１１に示すように、オスハウジング４００の内部には、長方形溝４０２とＴ字溝４０３とが形成されている。これらの長方形溝４０２とＴ字溝４０３とには、テーパ形状が形成されている。このテーパ形状は、第２接続端子４０１ａ，４０１ｂおよびメスハウジング２００の第１接続端子２０１ａ，２０１ｂとの嵌挿をスムーズにするとともに、嵌合時に長方形リブ２０２とＴ字リブ２０３との密着度を向上させるために設けられる。
【００４７】
さらに、オスハウジング４００とメスハウジング２００との逆嵌合を防止するため、長方形溝４０２とＴ字溝４０３との形状が異なるように設けられている。また、長方形溝４０２とＴ字溝４０３とを設けることによりメスハウジング２００とオスハウジング４００との勘合時における捩り方向の耐性を向上させることができる。
【００４８】
また、図１１に示すように、オスハウジング４００の４隅には、スリット４０５ａ，４０５ｂ，４０５ｃ，４０５ｄが設けられている。このスリット４０５ａ，４０５ｂ，４０５ｃ，４０５ｄは、オスハウジング４００とメスハウジング２００との嵌挿完了時にメスハウジング２００の内部のスリットリブ２０５ａ，２０５ｂ，２０５ｃ，２０５ｄと当接するように設けられる。
【００４９】
さらに、オスハウジング４００の各面のうち一の面には、リブ４５０ａ，４５０ｂが設けられ、他の一の面には、リブ４５０ｃ，４５０ｄ，４５０ｅが設けられ、他の一の面には、リブ４５０ｆ，４５０ｇが設けられ、他の一の面には、リブ４５０ｈ，４５０ｉが設けられる。これらのリブ４５０ａ〜４５０ｉは、オスハウジング４００とメスハウジング２００との嵌合完了時にメスハウジング２００のスリット２５０ａ〜２５０ｉと当接するように設けられている。
【００５０】
また、これらのスリット４０５ａ，４０５ｂ，４０５ｃ，４０５ｄおよびリブ４５０ａ〜４５０ｉには、中心から外側に向けて幅が狭くなるテーパ形状が設けられる。
【００５１】
続いて、図１２及び図１４に示すように、オスハウジング４００には、Ｚ方向と平行な方向に固定溝４１０が形成されている。固定溝４１０は、ＹＺ平面と平行な断面において略Ｖ字形状が形成された溝から形成されており、略Ｖ字形状の一方の傾斜が緩やかで、他方の傾斜が急に形成されている。すなわち、掛け止め金具３００がＺ方向に移動しやすく、−Ｚ方向に移動し難い状態で略Ｖ字形状が形成されている。
【００５２】
また、図１３及び図１４に示すように、オスハウジング４００の端部から固定溝４１０に向かって矢印Ｘ１の方向に凸形状部４２０が設けられている。凸形状部４２０は、ＸＹ平面における断面において略台形状からなる。
【００５３】
次に、メスハウジング２００をオスハウジング４００に嵌合させる動作について説明する。図１５は、作業者が指先でメスハウジング２００を嵌合方向へ押圧操作している状態を模式的に示した図である。
図１５に示すように、作業者は、例えば、メスハウジング２００における一対の押圧部分６１０・６１０の一方に親指を、他方に人差し指を接触させて、挟み込むように押圧部６００を保持し、そのまま、オスハウジング４００に向かって嵌合方向（Ｘ方向）に押圧操作することによりメスハウジング２００をオスハウジング４００に嵌合させる。
【００５４】
ここで、嵌合時に、図１２に示す凸形状部４２０の面上をメスハウジング２００の開口部２２２から突出した掛け止め部３１５が矢印Ｘ１の方向に移動するとともに、凸形状部４２０に沿って嵌合方向と垂直方向に変位する。そして、掛け止め部３１５は、凸形状部４２０を乗り越えて、固定溝４１０に滑落する。この場合、掛け止め部３１５は、掛け止め金具３００の弾性回復により、固定溝４１０に落ち込み、オスハウジング４００に対して、掛け止め部３１５が係止され、嵌合離脱方向（−Ｘ方向）へのメスハウジング２００の変位が拘束されることになる。
【００５５】
このように、掛け止め金具３００の弾性変形を伴いながら嵌合されるため、作業者は、掛け止め金具３００を弾性変形させるために必要な押圧力をメスハウジング２００に与える必要がある。
【００５６】
本実施形態のメスハウジング２００の形状によれば、押圧部６００には斜面６１１が形成されているため（図３、図５参照）、指先の接触面積を大きくすることができるとともに、指先がフィットしやすく、上記押圧力を容易に作用させることが可能となる。また、斜面６１１の端部に突起部６１１ａ（図３、図８、図９参照）が形成されているため、指先が引っかかりやすく、滑りにくい。これより、確実に力を伝えることが可能となる。
【００５７】
また、嵌合方向に対して垂直な方向（Ｙ方向と平行な方向）に掛け止め部３１５が変位するように掛け止め金具３００を変形させて係止を解除する構造であるため、係止状態と非係止状態との移行時における掛け止め金具３００の変形量をより小さくでき、変形に要する力も小さくてすむ。その結果、嵌合の際に小さい力で嵌合することができる。
【００５８】
そして、押圧部６００の掛け止め金具３００に対向する対向部６０１がＹ方向と平行な平面として形成されているので、掛け止め金具３００のＹ方向における変形を妨げることはなく、掛け止め金具３００の変形に要する力を小さくすることができる。
【００５９】
さらに、掛け止め金具３００は、押圧方向から押圧部６００に覆われているため、押圧時に指先が掛け止め金具３００に触れにくく、指で掛け止め金具３００の変形を拘束しにくい。よって、より小さな押圧力で嵌合を行うことができる。
【００６０】
また、一対の押圧部分６１０・６１０はケーブル５００を挟んで対称に形成されているため、メスハウジング２００に対して、ケーブル５００を挟んで対称な押圧力を付与しやすくなるため、より小さい力で嵌合可能となる。
【００６１】
また、一対の押圧部分６１０・６１０の縁部６１０ａはそれぞれ相互に近接するように傾斜している。図１６に、相手側コネクタ２から視た押圧部分６１０と作業者の指先との位置関係を説明する模式図を示す。図１６に示すように、押圧部分６１０の縁部６１０ａが近接する側から親指と人差し指で押圧部を挟み込むように差込側コネクタ１を保持して押圧した場合、縁部６１０ａが傾斜していることにより、各指先で挟み込む面（点線Ｂ１、Ｂ２で示す）の角度と縁部６１０ａの傾斜角度とが近づくため、各指先が押圧部にフィットしやすくなる。したがって、押圧しやすく、安定して押圧操作を行うことが可能となる。
【００６２】
特に、嵌合の際にバネ部材の変形を伴うようなコネクタにおいては、必要な押圧力が他のコネクタに比べて大きくなるため、本実施形態のようにコネクタハウジングを押圧しやすい形状にすることは効果的である。
【００６３】
以上、本発明の実施形態について説明したが、本発明は上述の実施の形態に限られるものではなく、特許請求の範囲に記載した限りにおいて様々に変更して実施することができるものである。
【図面の簡単な説明】
【００６４】
【図１】本発明の実施形態に係る電気コネクタを示す模式的斜視図である。
【図２】図１に示す差込側コネクタの正面図である。
【図３】図１に示す差込側コネクタの背面図である。
【図４】図１に示す差込側コネクタの左側面図である。
【図５】図１に示す差込側コネクタの平面図である。
【図６】図１に示す差込側コネクタの底面図である。
【図７】図１に示す差込側コネクタの前方から視た斜視図である。
【図８】図３における一点鎖線Ａ１で示す断面を模式的に示す断面図である。
【図９】図３における一点鎖線Ａ２で示す断面を模式的に示す断面図である。
【図１０】図４におけるＡ３−Ａ３断面における掛け止め金具３００の動きを模式的に示す図である。
【図１１】図１に示す相手側コネクタの正面図である。
【図１２】図１に示す相手側コネクタの左側面図である。
【図１３】図１に示す相手側コネクタの底面図である。
【図１４】図１に示す相手側コネクタの斜視図である。
【図１５】嵌合方向への押圧操作を説明する模式図である。
【図１６】押圧部分と作業者の指先との位置関係を説明する模式図を示す。
【符号の説明】
【００６５】
１    差込側コネクタ
２    相手側コネクタ
２００  メスハウジング（ハウジング本体）
２００Ｆ  嵌合側端部
２００Ｒ  押圧操作側端部
３００  掛け止め金具（バネ部材）
４００  オスハウジング
５００  ケーブル
６００  押圧部
６０１  対向部
６１０  押圧部分
６１０ａ  縁部
６１１  斜面
６１１ａ  突起部
【図１】
2008071665.tif 000003
【図２】
2008071665.tif 000004
【図３】
2008071665.tif 000005
【図４】
2008071665.tif 000006
【図５】
2008071665.tif 000007
【図６】
2008071665.tif 000008
【図７】
2008071665.tif 000009
【図８】
2008071665.tif 000010
【図９】
2008071665.tif 000011
【図１０】
2008071665.tif 000012
【図１１】
2008071665.tif 000013
【図１２】
2008071665.tif 000014
【図１３】
2008071665.tif 000015
【図１４】
2008071665.tif 000016
【図１５】
2008071665.tif 000017
【図１６】
2008071665.tif 000018